(57)【要約】【課題】  制御部にかかる処理負荷や制御部のバスの占有率を軽減し、更に消費電流の増加を抑え、放送局と同期した番組の受信録画と、保存されたファイルの特殊再生機能を同時に行う再生技術を提供する。【解決手段】  特殊再生システムにおいて、内部基準クロック生成部１３と、特殊再生用クロック出力部１４と、内部基準クロックでカウント動作を行う内部基準クロックカウント部１１と、特殊再生用クロックでカウント動作を行う特殊再生用クロックカウント部１５と、各部の制御を行う制御部１６とを備え、特殊再生用クロック出力部１４は制御部１６によって再生時のクロック倍率設定値を設定され、内部基準クロックによってカウントされるカウント値を用いて放送局との同期確立、及び同期維持を行い、同時に、特殊再生用クロックによってカウントされるカウント値を用いて倍速再生表示を行う。【選択図】  図１
2006295283.tif 000002
【特許請求の範囲】
【請求項１】
放送局基準クロックと異なる周波数のシステムクロックから内部基準クロックを生成する内部基準クロック生成部と、前記内部基準クロックから再生用クロックを生成する再生用クロック出力部とを備え、
放送局との同期確立、及び同期維持するために前記内部基準クロックを用い、同時に行う倍速再生表示に前記再生用クロックを用いることを特徴とする再生システム。
【請求項２】
放送局基準クロックと異なる周波数のシステムクロックから内部基準クロックを生成する内部基準クロック生成部と、前記内部基準クロックから再生用クロックを生成する再生用クロック出力部と、前記内部基準クロックでカウント動作を行う内部基準クロックカウント部と、前記再生用クロックでカウント動作を行う再生用クロックカウント部とを備え、
内部基準クロックによってカウントされる前記内部基準クロックカウント部のカウント値を用いて放送局との同期確立、及び同期維持を行い、同時に、再生用クロックによってカウントされる前記再生用クロックカウント部のカウント値を用いて倍速再生表示を行うことを特徴とする再生システム。
【請求項３】
放送局基準クロックと異なる周波数のシステムクロックから内部基準クロックを生成する内部基準クロック生成部と、前記内部基準クロックから再生用クロックを生成する再生用クロック出力部と、前記内部基準クロックでカウント動作を行う内部基準クロックカウント部と、前記再生用クロックでカウント動作を行う再生用クロックカウント部と、各部の制御を行う制御部とを備え、
前記再生用クロック出力部は、前記制御部によって再生時のクロック倍率設定値を設定され、
内部基準クロックによってカウントされる前記内部基準クロックカウント部のカウント値を用いて放送局との同期確立、及び同期維持を行い、同時に、クロック周波数を変更された再生用クロックによってカウントされる前記再生用クロックカウント部のカウント値を用いて倍速再生表示を行うことを特徴とする再生システム。
【請求項４】
請求項１〜３のいずれか１項記載の再生システムにおいて、
前記再生用クロック出力部は、入力クロックの周波数を変更する再生用クロック生成部と、入力クロックと周波数変更されたクロックの一方を選択する選択部と、前記選択部で選択されたクロックの出力、及び停止を行うオン／オフ制御部とを備えることを特徴とする再生システム。
【請求項５】
請求項４記載の再生システムにおいて、
前記再生用クロック生成部に対して、制御部がクロック倍率設定値を設定し、
前記選択部に対して、前記制御部がクロック選択情報を設定し、
前記オン／オフ制御部に対して、前記制御部がクロック出力／停止設定情報を設定することを特徴とする再生システム。
【請求項６】
請求項５項記載の再生システムにおいて、
前記制御部によるクロック倍率設定値とクロック選択情報とクロック出力／停止設定情報の前記再生用クロック出力部への設定を一回の転送で行うことを特徴とする再生システム。
【請求項７】
請求項６記載の再生システムにおいて、
前記再生用クロック出力部におけるクロック倍率が予め固定されており、前記制御部からはクロック選択情報とクロック出力／停止設定情報の設定を行うことを特徴とする再生システム。
【請求項８】
放送局基準クロックと異なる周波数のシステムクロックから内部基準クロックを生成する内部基準クロック生成部と、前記内部基準クロックから再生用クロックを生成する再生用クロック出力部とを備えた再生システムにおける再生方法であって、
放送局との同期確立、及び同期維持するために前記内部基準クロックを用い、同時に行う倍速再生表示に前記再生用クロックを用いることを特徴とする再生方法。
【請求項９】
放送局基準クロックと異なる周波数のシステムクロックから内部基準クロックを生成する内部基準クロック生成部と、前記内部基準クロックから再生用クロックを生成する再生用クロック出力部と、前記内部基準クロックでカウント動作を行う内部基準クロックカウント部と、前記再生用クロックでカウント動作を行う再生用クロックカウント部とを備えた再生システムにおける再生方法であって、
内部基準クロックによってカウントされる前記内部基準クロックカウント部のカウント値を用いて放送局との同期確立、及び同期維持を行い、同時に、再生用クロックによってカウントされる前記再生用クロックカウント部のカウント値を用いて倍速再生表示を行うことを特徴とする再生方法。
【請求項１０】
放送局基準クロックと異なる周波数のシステムクロックから内部基準クロックを生成する内部基準クロック生成部と、前記内部基準クロックから再生用クロックを生成する再生用クロック出力部と、前記内部基準クロックでカウント動作を行う内部基準クロックカウント部と、前記再生用クロックでカウント動作を行う再生用クロックカウント部と、各部の制御を行う制御部とを備えた再生システムにおける再生方法であって、
前記再生用クロック出力部は、前記制御部によって再生時のクロック倍率設定値を設定され、
内部基準クロックによってカウントされる前記内部基準クロックカウント部のカウント値を用いて放送局との同期確立、及び同期維持を行い、同時に、クロック周波数を変更された再生用クロックによってカウントされる前記再生用クロックカウント部のカウント値を用いて倍速再生表示を行うことを特徴とする再生方法。
【請求項１１】
放送局基準クロックと異なる周波数のシステムクロックから内部基準クロックを生成する内部基準クロック生成部と、前記内部基準クロックから再生用クロックを生成する再生用クロック出力部とを備え、
放送局との同期確立、及び同期維持するために前記内部基準クロックを用い、倍速再生表示に前記再生用クロックを用いることを特徴とする再生システム。
【請求項１２】
放送局基準クロックと異なる周波数のシステムクロックから内部基準クロックを生成する内部基準クロック生成部と、前記内部基準クロックから再生用クロックを生成する再生用クロック出力部とを備えた再生システムにおける再生方法であって、
放送局との同期確立、及び同期維持するために前記内部基準クロックを用い、倍速再生表示に前記再生用クロックを用いることを特徴とする再生方法。
【発明の詳細な説明】
【技術分野】
【０００１】
本発明は、デジタルＴＶ放送における再生技術に関し、特に、放送局と同期して録画処理を行いながら、同時に倍速再生等を行う事を可能とする、いわゆる追っかけ再生等とも呼ばれる特殊再生システムおよび方法に適用して有効な技術に関するものである。
【背景技術】
【０００２】
近年、デジタルＴＶ放送受信機における放送局との同期方法として、ＶＣＯ（Ｖｏｌｔａｇｅ  Ｃｏｎｔｒｏｌｌｅｄ  Ｏｓｃｉｌｌａｔｏｒ）を用いた電圧帰還型発振器ではなく、コストの安い無帰還型発振器を用い、放送局基準時刻情報ＰＣＲ（Ｐｒｏｇｒａｍ  Ｃｌｏｃｋ  Ｒｅｆｅｒｅｎｃｅ）と再生Ａｕｄｉｏのタイムスタンプを比較してズレを検出し、そのズレを補正する事で放送局との同期を取る方式が提案されている（例えば、特許文献１参照）。
【特許文献１】特開２００４−２３１３６号公報
【発明の開示】
【発明が解決しようとする課題】
【０００３】
ところで、前記のような再生技術においては、例えば、受信している番組の録画と、保存されたファイルを２倍速で再生する特殊再生機能を同時に行う場合を考えると、録画においては放送局の基準時間に対して正確に同期している必要があり、特殊再生においては、２倍速再生であれば通常再生時の２倍の速さで、１／２倍速であれば通常再生時の１／２倍の速さでファイル再生時の時間が経過する事になるため、異なる２つの時間管理が必要となる。
【０００４】
しかし、前記特許文献１の構成では、端末装置内で時間管理を行うためのクロックカウント部が１つしか無いため、録画と特殊再生を同時に行う事ができない。通常、上記ケースでは録画が優先されるため、カウント部は録画処理を行うための放送局同期に使われる。よって、同時に２倍速再生の時間管理を行うためには、制御部が２倍速で再生されるＡｕｄｉｏ／Ｖｉｄｅｏの時間管理を行う事になり、制御部に大きな負荷がかかってしまう。
【０００５】
また、屋内据え置き型のデジタルＴＶ放送受信機では、上記ケースを実現するために、端末装置内の時間管理用クロックカウント部を２つ設け、一方のカウンタを放送局との同期用に、もう一方を特殊再生用に使用している。２倍速などの特殊再生時には、制御部が特殊再生用カウンタのカウント値を、再生速度の倍率に応じた値に、逐次書き換えを行う事で実現している。そのため、例えば、特殊再生用カウントの書き換え周期をＡｕｄｉｏの１フレーム周期とすると、制御部は数十ｍｓ周期でカウント値の演算とカウンタへの書き込みを行う必要が生じる。そのため、制御部にかかる負荷と稼働時間の増加によって制御部の消費電力が増加してしまう。
【０００６】
もし、この屋内据え置き型のデジタルＴＶ放送受信機の方法を電池で駆動している携帯端末向けに適用すると、端末装置の連続再生時間が短くなってしまい問題である。更には、カウント値書き換えのために制御部のバスを占有してしまう事で、Ａｕｄｉｏ／Ｖｉｄｅｏの再生用データの転送処理とカウンタ値書き換え処理が重複する可能性が生じ、音声や動画像がフリーズしてしまう恐れがある。
【０００７】
そこで、本発明の目的は、制御部にかかる処理負荷や制御部のバスの占有率を軽減し、更に消費電流の増加を抑え、放送局と同期した番組の受信録画と、保存されたファイルの特殊再生機能を同時に行う再生技術を提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
本発明は、端末装置のシステムクロックから内部基準クロックを生成する内部基準クロック生成部と、内部基準クロックから特殊再生用クロックを生成する特殊再生用クロック出力部とを備える。この特殊再生用クロック出力部には、内部基準クロックから特殊再生用クロックを生成する際に、周波数の変更やクロック出力のオン／オフ制御を行うクロック可変機能を有している。このクロック可変機能によって、２倍速再生やスロー再生時には、特殊再生用クロックの周波数を２倍や１／２倍に変更し、一時停止の際には特殊再生用クロックの出力をオン／オフする。これらクロック変更の設定は、特殊再生モード実行に際して、一度だけ制御部によって行われる。
【００１１】
さらに、生成された内部基準クロックと特殊再生用クロックは、放送局との同期や録画を行うための基準となる時間情報を作り出す内部基準クロックカウント部と、特殊再生時の基準となる時間情報を作り出す特殊再生用クロックカウント部に、各々入力され、各々の動作の基準となる時間情報を作り出す。
【００１２】
また、内部基準クロックカウント部と特殊再生用クロックカウント部は、完全に独立したカウンタとなっており、特殊再生用クロックカウント部によって作り出された基準時間情報を用いて特殊再生時のＡｕｄｉｏ／Ｖｉｄｅｏ再生を行う事で、内部基準クロックカウント部によって作り出されている基準時間情報に同期している録画処理に影響される事無く、録画と特殊再生を同時に実現する事が可能となり、上記課題を解決できる。
【発明の効果】
【００１３】
本願において開示される発明のうち、代表的なものによって得られる効果を簡単に説明すれば以下のとおりである。
【００１４】
本発明によれば、端末装置の消費電力低減が可能になる。
【発明を実施するための最良の形態】
【００１５】
以下、本発明の実施の形態を図面に基づいて詳細に説明する。なお、実施の形態を説明するための全図において、同一の部材には原則として同一の符号を付し、その繰り返しの説明は省略する。
【００１６】
図１は、本発明の一実施の形態における特殊再生システムの概略構成図の一例を示すものである。
【００１７】
本実施の形態における特殊再生システムは、例えば携帯端末向けに適用し、ＭＰＥＧ２−トランスポートストリーム（以下、ＭＰＥＧ２−ＴＳと言う）データからＰＣＲを分離するＰＣＲ抽出部１０と、後述する内部基準クロック生成部１３によって生成された内部基準クロックによってカウント動作を行い、ＰＣＲによる補正によって放送局との同期を取るために用いられる内部基準クロックカウント部１１と、ＰＣＲ抽出部１０より出力されたＰＣＲの値と内部基準クロックカウント部１１のカウント値を比較し、２つの値のズレを検出して内部基準クロックカウント部１１にカウント値補正情報を出力する比較部１２と、端末装置のシステムクロックより内部基準クロックを生成する内部基準クロック生成部１３と、内部基準クロック生成部１３によって生成された内部基準クロックから特殊再生用クロックを生成し、後述の特殊再生用クロックカウント部１５に出力する特殊再生用クロック出力部１４と、特殊再生用クロック出力部１４より出力された特殊再生用クロックによってカウント動作を行い、倍速再生や一時停止等の特殊再生時のＡｕｄｉｏ／Ｖｉｄｅｏ再生用タイムスタンプ情報と端末装置の時間情報との同期を取るために用いられる特殊再生用クロックカウント部１５と、特殊再生用クロック出力部１４に対して、特殊再生用クロックのクロック倍率設定値やクロック選択情報、クロック出力／停止設定情報等の設定を行う制御部１６で構成される。
【００１８】
内部基準クロックカウント部１１は、ＰＣＲの受信有無に関わらず、内部基準クロックによってカウントアップされ、ＰＣＲを受信した時だけＭＰＥＧ２−ＴＳから抽出したＰＣＲの値と内部基準クロックカウント部１１のカウント値のズレを検出し、カウント値補正情報によって内部基準クロックカウント部１１のカウンタの値を補正する。放送局基準時刻情報であるＰＣＲと端末装置内の基準カウンタにおける時間情報のズレを補正し、ＰＣＲにカウンタ値を追従させる事で、端末装置内に放送局の基準時刻に同期した時刻情報を再現する事が可能となる。
【００１９】
図２は、内部基準クロックから特殊再生用クロックを生成する、特殊再生用クロック出力部１４の構成図の一例である。
【００２０】
特殊再生用クロック出力部１４は、入力された内部基準クロックを、例えば２倍や１／２倍等、クロック周波数の変更を行う特殊再生用クロック生成部２０と、特殊再生用クロック出力部１４より出力されるクロックを、入力された内部基準クロックをそのまま出力するか（図中、ＳＥＬ＿Ａ側を選択）、或いは特殊再生用クロック生成部２０によって周波数を変更されたクロックを出力するか（図中、ＳＥＬ＿Ｂ側を選択）を選択する選択部２１と、更に、特殊再生用クロック出力部１４より出力されるクロックのオン／オフの制御を行うオン／オフ制御部２２で構成される。
【００２１】
特殊再生用クロック生成部２０に対するクロック周波数の設定や、選択部２１並びにオン／オフ制御部２２への設定は、制御部１６より出力されるクロック変更設定情報によって行われる。特殊再生モードが変更されない限り、特殊再生用クロック出力部１４への設定は、特殊再生開始時に一度だけ行えば良い。但し、動的に特殊再生モードが変更された場合には特殊再生用クロック出力部１４への再設定が行われる事になる。
【００２２】
図３は、様々な特殊再生モードと、特殊再生用クロック出力部１４で生成される特殊再生用クロックとの関係の一例を示す。ここでは、内部基準クロックを９０ｋＨｚと仮定する。
【００２３】
倍速（時短）再生において、特殊再生モードを２倍速に設定すると、内部基準クロック９０ｋＨｚに対して特殊再生用クロックは２倍の１８０ｋＨｚが出力される。特殊再生モードが５倍速では、内部基準クロック９０ｋＨｚに対して特殊再生用クロックは５倍の４５０ｋＨｚが出力される。また、スロー再生では、逆に特殊再生モードを１／２倍速に設定すると、内部基準クロック９０ｋＨｚに対して特殊再生用クロックは１／２倍の４５ｋＨｚが出力される。特殊再生モードが２／３倍では、内部基準クロック９０ｋＨｚに対して特殊再生用クロックは２／３倍の６０ｋＨｚが出力される。
【００２４】
更には、一時停止を行う場合は、オン／オフ制御部２２を制御してオフに設定する事で、特殊再生用クロックの出力を停止させる。
【００２５】
図４は、受信している番組の録画と、保存されているファイルの倍速再生を同時に行う場合の処理フローの一例を示す。
【００２６】
これは、例えば、先週のドラマを録画したけど見る暇が無く、次のドラマが放送されてしまった時に、先週放送分を見てから今週のドラマを見たいと言った場合、今週のドラマを録画しながら、既に録画してある先週分のドラマを倍速再生して短時間で見てしまい、続けて今週のドラマをリアルタイムで見る時などに使われる。
【００２７】
ＰＣＲ抽出部１０で、受信したＭＰＥＧ２−ＴＳに含まれている放送局の基準時刻情報であるＰＣＲを抽出する（Ｓ１００）。抽出されたＰＣＲは、比較部１２によって、内部基準クロックカウント部１１のカウント値と比較され、ズレを検出する。なお、内部基準クロックカウント部１１は、内部基準クロック生成部１３によって、端末装置のシステムクロックに逓倍や分周を施す事で生成される内部基準クロックによって、ＰＣＲ受信の有無に関わらず、常にカウントアップ動作を行っている。
【００２８】
ＰＣＲの値と内部基準クロックカウンタのカウント値にズレが生じていた場合は、比較部１２は、内部基準クロックカウント部１１に対してカウント値補正情報を出力し、ＰＣＲにカウント値が追従するように内部基準クロックカウント部１１のカウント値を補正する（Ｓ１０１）。
【００２９】
内部基準クロックカウント部１１が放送局の基準時刻情報であるＰＣＲに追従できれば（Ｓ１０２）、端末装置は放送局と同期が取れたとみなされ、内部基準クロックカウント部１１のカウント値を放送局に同期した時間管理情報とする事で、放送局に同期した番組の再生や録画が行える（Ｓ１０３）。
【００３０】
この様な状況で、更に特殊再生を行う。ここでは、一例として２倍速再生を行う事とする（Ｓ１０４）。
【００３１】
制御部１６は、特殊再生モードに応じたクロック変更設定情報を特殊再生用クロック出力部１４に設定する。特殊再生用クロック出力部１４は、特殊再生用クロック生成部２０と、選択部２１と、オン／オフ制御部２２で構成されており、各部に必要な設定値が設定される。
【００３２】
特殊再生用クロック生成部２０では、クロック周波数のｕｐ／ｄｏｗｎの設定を行う。選択部２１では、入力された内部基準クロックをスルーで出力するか（ＳＥＬ＿Ａ選択）、特殊再生用クロック生成部２０で変更されたクロックを出力するか（ＳＥＬ＿Ｂ選択）の選択を行う。オン／オフ制御部２２では、特殊再生用クロックを出力するか停止させるかの選択を行う。
【００３３】
一例として挙げている「２倍速再生」の場合、特殊再生用クロック生成部２０には「２倍」が設定される。選択部２１では「ＳＥＬ＿Ｂ選択」が選択される。オン／オフ制御部２２では「出力する（オン）」が選択される（Ｓ１０５）。
【００３４】
従って、内部基準クロックが９０ｋＨｚに対して、１８０ｋＨｚの特殊再生用クロックが出力される（Ｓ１０６）。この特殊再生用クロックは、放送局と同期を取る事とは別に、特殊再生時のＡｕｄｉｏ／Ｖｉｄｅｏの再生時間を管理するための時間管理情報としてのみ用いられる。通常の再生スピードでＡｕｄｉｏ／Ｖｉｄｅｏの再生を行う場合は、放送局との同期を取るための内部基準クロック９０ｋＨｚを用いれば良く、前述の通り、内部基準クロックカウント部１１のカウント値を用いて行う。
【００３５】
特殊再生用クロックカウント部１５に入力される特殊再生用クロックが録画用の内部基準クロック９０ｋＨｚの２倍となる１８０ｋＨｚであるため、内部基準クロックカウント部１１に比べ、特殊再生用クロックカウント部１５の方が２倍の速度でカウントアップする事になる（Ｓ１０７）。よって、内部基準クロックの２倍の速さでカウントアップするカウンタに同期してＡｕｄｉｏ／Ｖｉｄｅｏを再生すれば２倍速での再生となる（Ｓ１０８、Ｓ１０９）。
【００３６】
内部基準クロックカウント部１１と特殊再生用クロックカウント部１５は、完全独立してカウント処理が可能であるので、受信した番組の録画と保存されたファイルの特殊再生を同時に行う事が可能となる。また、当然ながら、特殊再生モード実施時でも、内部基準クロックによる放送局との同期、及び録画処理は、継続して行われている。
【００３７】
制御部１６から特殊再生機能の制御に必要となる各種設定値の転送は、特殊再生開始前の一度だけで済む事になり、制御部１６や内部バスの占有率の増加が防げる。更に、Ａｕｄｉｏ／Ｖｉｄｅｏ再生のためのデータ転送処理と、特殊再生用クロック変更設定処理が重複せずにすむため、滑らかなＡｕｄｉｏ／Ｖｉｄｅｏの再生を行う事が可能となる。
【００３８】
同様に、「５倍速」の場合は、特殊再生用クロックは４５０ｋＨｚとなるので、５倍の速いスピードで再生が行われる事になる。
【００３９】
以上の様に、内部基準クロック９０ｋＨｚに対して、ｎ倍の特殊再生用クロックを生成させる事で、ｎ倍速での特殊再生を実現できる。
【００４０】
図５は、受信している番組の録画と、保存されているファイルのスロー再生を同時に行う場合の処理フローの一例を示す。
【００４１】
これは、例えば、ある番組を録画しながら、既に録画してある番組を見ていた時、特定のシーンだけをスローで再生したい時などに使われる。
【００４２】
録画の処理（Ｓ１００〜Ｓ１０３）は、前記図４での説明と同じであるため、ここでは省略する。録画が行われている状況で、更に特殊再生を行う。ここでは、一例として２／３倍のスロー再生を行う事とする（Ｓ２００）。
【００４３】
「２／３倍速再生」の場合、特殊再生用クロック生成部２０には「２／３倍」が設定される。選択部２１には「ＳＥＬ＿Ｂ選択」が選択される。オン／オフ制御部２２には「出力する（オン）」が選択される（Ｓ２０１）。従って、内部基準クロックが９０ｋＨｚに対して、特殊再生用クロックは６０ｋＨｚが出力される事となる（Ｓ２０２）。
【００４４】
特殊再生用クロックカウント部１５に入力される特殊再生用クロックが通常再生時のクロック９０ｋＨｚの２／３倍となる６０ｋＨｚであるため、内部基準クロックカウント部１１によるカウント速度より、特殊再生用クロックカウント部１５の方が２／３倍の速度でカウントされる事になる（Ｓ２０３）。そのため、内部基準クロックの２／３倍の速さでカウントするカウンタに同期してＡｕｄｉｏ／Ｖｉｄｅｏを再生させれば、２／３倍のゆっくりとしたスピードで再生される事になる（Ｓ２０４、Ｓ２０５）。
【００４５】
同様に、「１／２倍速」の場合は、特殊再生用クロックは４５ｋＨｚとなるので、１／２倍のゆっくりとしたスピードで再生が行われる事になる。
【００４６】
以上の様に、内部基準クロック９０ｋＨｚに対してｍ／ｎ倍の特殊再生用クロックを生成する事で、ｍ／ｎ倍速のスロー再生を実現できる。
【００４７】
図６は、受信している番組を録画しながら、保存されているファイルの再生を一時停止させる場合の処理フローの一例を示す。
【００４８】
これは、例えば、ある番組を録画しながら、既に録画してある番組を見ていた時、ちょっと席を外したいのでファイルの再生を一時停止させたい時や、受信している番組を見ながら録画していた時に、ちょっと別の事をするので、録画は行いながら、再生だけを一時停止させたい時などに使われる。
【００４９】
ここでも録画の処理（Ｓ１００〜Ｓ１０３）は、前記図４での説明と同じであるため、ここでは省略する。録画が行われている状況で、更に特殊再生として一時停止を行う事とする（Ｓ３００）。
【００５０】
「一時停止」の場合、特殊再生用クロック生成部２０による内部基準クロックの変更の必要が無いため、特殊再生用クロック生成部２０には「１倍」が設定される。選択部２１では内部基準クロックを選択する事になるため、「ＳＥＬ＿Ａ選択」が選択される。オン／オフ制御部２２では、一時停止操作に合わせて特殊再生用クロックカウント部１５への特殊再生用クロックの出力を停止させるため、「停止する（オフ）」が選択される（Ｓ３０１）。従って、内部基準クロックが９０ｋＨｚに対して、特殊再生用クロックの出力は停止される事となる（Ｓ３０２）。
【００５１】
一時停止操作では、特殊再生用クロックカウント部１５に入力される特殊再生用クロックが停止する事で（Ｓ３０３）、再生の基準時間として用いている特殊再生用クロックが停止するので、Ａｕｄｉｏ／Ｖｉｄｅｏの再生も一時停止する（Ｓ３０４）。
【００５２】
Ａｕｄｉｏ／Ｖｉｄｅｏの再生と特殊再生用クロックカウント部１５のカウンタ値は、一時停止操作によって同時にカウント処理を停止するが、一時停止が解除されれば、特殊再生用クロックカウント部１５に特殊再生用クロックが再入力されるので、一時停止したシーンの続きから再生が再開される事が必要となる。
【００５３】
この時は、特殊再生用クロック生成部２０と選択部２１の設定は変更せず、オン／オフ制御部２２の設定のみを変更する。一時停止解除を受けて、オン／オフ制御部２２の設定値を「出力する（オン）」に再設定する。一時停止操作で停止した特殊再生用クロックカウント部１５のカウント動作が、特殊再生用クロックが再入力される事で再開され、再開された特殊再生用クロックカウント部１５に同期してＡｕｄｉｏ／Ｖｉｄｅｏの再生処理を行う事で、一時停止からの復帰が行える。Ａｕｄｉｏ／Ｖｉｄｅｏの再生と再生時間の基準となる特殊再生用クロックカウント部１５のカウント動作は、一時停止操作で同時に停止し、一時停止解除操作で同時に動作再開する事になる。
【００５４】
内部基準クロックカウント部１１と特殊再生用クロックカウント部１５は、完全独立してカウント処理が可能であるため、録画を行いながら再生中の番組を一時停止／再生再開を容易に実現可能となる。
【００５５】
これまで、倍速／スロー再生と一時停止を個々に説明したが、例えば、倍速再生と一時停止を組み合わせる事も可能である。
【００５６】
図７は、特殊再生用クロックの倍率が固定されている場合の、特殊再生用クロック出力部１４ａの構成図の一例である。
【００５７】
特殊再生用クロック出力部１４ａは、仮に、特殊再生用クロックの倍率を２倍とすると、入力された内部基準クロックを２倍する２逓倍回路部３０と、選択部２１とオン／オフ制御部２２で構成される事になる。前記図２と同じ機能を有するものには同一の番号を付し、説明を省略する。
【００５８】
特殊再生用クロックの倍率が固定のため、制御部１６はクロック周波数の設定を行う必要がなくなり、クロック変更設定情報は、選択部２１並びにオン／オフ制御部２２への設定のみとなる。再生のオン／オフが変更されない限り、特殊再生用クロック出力部１４ａへの設定は、特殊再生開始時に一度だけ行えば良い。但し、動的に特殊再生のオン／オフが変更された場合には、特殊再生用クロック出力部１４ａへの再設定は行われる事になる。
【００５９】
また、特殊再生用クロック出力部１４ａへのクロックの変更を、制御部１６からではなく、例えば外部接続機器から行う事も可能である。やはりこの場合でも、特殊再生用クロック出力部１４ａへのクロック変更設定情報の設定は、特殊再生が行われる前に一度行われるだけであり、本構成を取った事で録画と特殊再生の同時処理が行えなくなる事はなく、上述と同様の効果が得られる事は言うまでも無い。
【００６０】
以上説明したように、本実施の形態における特殊再生システムによれば、以下のような効果を得ることができる。
【００６１】
（１）フレームごとに行われるカウント値の演算や、特殊再生時のＡｕｄｉｏ／Ｖｉｄｅｏ再生に必要な時間管理を不要とする事で、制御部にかかる処理負荷の軽減と稼働時間の短縮が可能となるため、制御部の消費電力を抑えられ、端末装置の連続再生時間を延ばす事が可能となる。
【００６２】
（２）カウント部への書き込み処理を不要とする事で、ＴＶ受信時にかかる制御部のバス占有時間も低減されるために、例えば、動画像の書き換え処理と特殊再生用カウンタ値転送処理が重なる事で生じるコマ落ちが発生しなくなり、放送局と同期しながら、スムーズな特殊再生が可能となる。
【００６３】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６４】
本発明は、デジタルＴＶ放送における再生技術に関し、特に、放送局と同期して録画処理を行いながら、同時に倍速再生等を行う事を可能とする特殊再生システムおよび方法に適用でき、携帯端末向けに有効である。
【図面の簡単な説明】
【００６５】
【図１】本発明の一実施の形態における特殊再生システムの一例を示す概略構成図である。
【図２】本発明の一実施の形態において、特殊再生用クロック出力部の一例を示す構成図である。
【図３】本発明の一実施の形態において、様々な特殊再生モードと、特殊再生用クロック出力部で生成される特殊再生用クロックとの関係の一例を示す説明図である。
【図４】本発明の一実施の形態において、受信している番組の録画と、保存されているファイルの倍速再生を同時に行う場合の処理フローの一例を示すフロー図である。
【図５】本発明の一実施の形態において、受信している番組の録画と、保存されているファイルのスロー再生を同時に行う場合の処理フローの一例を示すフロー図である。
【図６】本発明の一実施の形態において、受信している番組を録画しながら、保存されているファイルの再生を一時停止させる場合の処理フローの一例を示すフロー図である。
【図７】本発明の一実施の形態において、特殊再生用クロックの倍率が固定されている場合の、特殊再生用クロック出力部の一例を示す構成図である。
【符号の説明】
【００６６】
１０…ＰＣＲ抽出部、１１…内部基準クロックカウント部、１２…比較部、１３…内部基準クロック生成部、１４，１４ａ…特殊再生用クロック出力部、１５…特殊再生用クロックカウント部、１６…制御部、２０…特殊再生用クロック生成部、２１…選択部、２２…オン／オフ制御部、３０…２逓倍回路部。
【図１】
2006295283.tif 000003
【図２】
2006295283.tif 000004
【図３】
2006295283.tif 000005
【図４】
2006295283.tif 000006
【図５】
2006295283.tif 000007
【図６】
2006295283.tif 000008
【図７】
2006295283.tif 000009